(57)【要約】【課題】自転車の非駆動ホイールを駆動ホイールに切替える、簡便に装着できて効果対費用に優れた切替キット、更に、少なくとも１つのシャフト３７、５３、５４を駆動装置に連結用の構成を提供する。【解決手段】本発明は、自転車の非駆動ホイールを駆動装置Ａで駆動されるホイール８に切替えるキットに関する。ホイール８は、車軸５を回転可能に受けるハブ９、フォーク１のフォーク・ブレード３、４間に取付け可能な車軸５を備える。本発明は、さらに、自転車と自転車の切替方法にも関する。簡便に装着できて効果対費用に優れた切替キットの提供のために、フォーク・ブレード３、４の外側面に取付け可能な２つのサポート１３、１４は、各々、フォーク・ブレード３、４への連結部材、即ち、駆動されるべきホイール８と共に回転するようにホイール８に接続可能な少なくとも１つのシャフト３７、５３、５４を回転可能に受けるベアリング３５、３６を備える。【選択図】図９
2010516526.tif 000002
【特許請求の範囲】
【請求項１】
自転車の非駆動ホイール（８）を駆動装置（Ａ）によって駆動されるホイール（８）に切替えるキットであって、
前記ホイール（８）は、車軸（５）を回転可能に受けるハブ（９）を有し、
前記車軸（５）は、フォーク（１）の複数のフォーク・ブレード（３、４）間に取付可能である、キットにおいて、
いずれも、前記フォーク・ブレード（３、４）の外側面に配置可能であり、かつ、前記フォーク・ブレード（３、４）に接続するための部材を有する、２つのサポート（１３、１４）を具備し、
前記２つのサポート（１３、１４）の各々は、少なくとも１つのシャフト（３７、５３、５４）が回転可能に着座するベアリング（３５、３６）を具備し、
前記少なくとも１つのシャフト（３７、５３、５４）は、駆動されるべき前記ホイール（８）と共に回転するように接続可能であり、
当該キットは、前記少なくとも１つのシャフト（３７、５３、５４）を前記駆動装置（Ａ）に連結するための装置を具備することを特徴とするキット。
【請求項２】
前記のサポート（１３、１４）の各々は、前記フォーク・ブレード（３、４）に接続可能なフォーク・サポート（１５、１６）、及び前記フォーク・サポートに取外し可能に連結されたシャフト・サポート（１７、１８）を備えることを特徴とする、請求項１に記載のキット。
【請求項３】
前記フォーク・サポート（１５、１６）は、前記シャフト・サポート（１７、１８）にねじで連結されることを特徴とする、請求項２に記載のキット。
【請求項４】
前記のサポート（１３、１４）あるいは前記フォーク・サポート（１５、１６）を前記フォーク・ブレード（３、４）に連結する部材は、ねじ連結（２１、２２、２３、２４）によってなされていること、を特徴とする、請求項１から３のいずれかに記載のキット。
【請求項５】
前記のサポート（１３、１４）あるいは前記フォーク・サポート（１５、１６）を前記フォーク・ブレード（３、４）に連結する部材は、取外し可能にナットに連結するためのねじを切られた端部（２９、３０）を持つ、Ｕ字型フォーク・クランプ（２７、２８）によってなされており、かつ、前記のサポート（１３、１４）あるいは前記フォーク・サポート（１５、１６）に細長い穴（３３、３４）を備えることにより、前記フォーク・ブレード（３、４）を取囲む前記フォーク・クランプ（２７、２８）を固定することができることを特徴とする、請求項４に記載のキット。
【請求項６】
前記ベアリング（３５、３６）は、ボール・ベアリングであること、を特徴とする、請求項１から５のいずれかに記載のキット。
【請求項７】
前記駆動装置Ａを取外し可能に取付ける固定部材（４８、５０）は、前記サポート（１３、１４）に配置されること、を特徴とする、請求項１から６のいずれかに記載のキット。
【請求項８】
バッテリ（Ｂ）を前記駆動装置Ａに取外し可能に取付ける固定部材（４８、５０）は、前記サポート（１３、１４）に配置されること、を特徴とする、請求項１から７のいずれかに記載のキット。
【請求項９】
前記固定部材（４８、５０）は、蝶形ボルトあるいはこれに類する物からなること、を特徴とする、請求項７あるいは８に記載のキット。
【請求項１０】
第一のサポート（１３）のベアリング（３５）から第二のサポート（１４）のベアリング（３６）に伸びる連続シャフト（３７）を備えること、を特徴とする、請求項１から９のいずれかに記載のキット。
【請求項１１】
前記シャフト（３７）は、その中央部（３８）に多角形、特に、正方形の断面を有し、前記シャフト（３７）の外径は、駆動されるべき前記ホイール（８）の前記ハブ（９）の内径よりわずかに大きく、前記シャフト（３７）と前記ホイール（８）との共に回転する接続は、前記ハブ（９）内での前記シャフト（３７）の締まり嵌めで実現されること、を特徴とする、請求項１０に記載のキット。
【請求項１２】
前記シャフト（３７）用の、かつ、前記多角形の断面に対応する座（４３、４４）を持つ、２つのロケーティング・ディスク（４１、４２）を具備し、前記ロケーティング・ディスク（４１、４２）は、前記ハブ（９）に共に回転するように接続するための、前記ハブ（９）に面するその側面に歯（４５、４６）あるいはその類似物を備えることを特徴とする、請求項１１に記載のキット。
【請求項１３】
２つのシャフト（５３、５４）、及び前記シャフト（５３、５４）に接続可能なロケーティング・ディスク（４１、４２）を具備し、前記ロケーティング・ディスク（４１、４２）は、前記ホイール（８）に面するその側面に前記ホイール（８）に共に回転するように接続するための接続部材を備えることを特徴とする、請求項１から９のいずれかに記載のキット。
【請求項１４】
前記シャフト（５３、５４）を共に回転するように前記ホイール（８）に接続する前記接続部材は、前記ホイール（８）の複数のスポーク（１０）間に可能な位置に配置される、複数の部材、特に、複数のロッド（５１、５２）からなっていることを特徴とする、請求項１３に記載のキット。
【請求項１５】
前記少なくとも１つのシャフト（３７、５３、５４）を駆動フランジ（４０）を備えた駆動装置（Ａ）に連結する構成を特徴とする、請求項１から１４のいずれかに記載のキット。
【請求項１６】
少なくとも１つの非駆動ホイール（８）と少なくとも１つの駆動装置（Ａ）を持つ自転車であって、請求項１から１５のいずれかに記載のキットによって、前記少なくとも１つの非駆動ホイール（８）は、前記少なくとも１つの駆動装置（Ａ）に連結されていることを特徴とする自転車。
【請求項１７】
フロント・ホイール（８）が、前記駆動装置（Ａ）に連結されていることを特徴とする、請求項１６に記載の自転車。
【請求項１８】
前記駆動装置（Ａ）は、電動モータと対応するバッテリとを具備することを特徴とする、請求項１６あるいは１７に記載の自転車。
【請求項１９】
前記駆動装置（Ａ）は、内燃機関エンジンと適切な燃料供給源とを具備することを特徴とする、請求項１６あるいは１７に記載の自転車。
【請求項２０】
自転車の非駆動ホイール（８）を駆動装置（Ａ）によって駆動されるホイール（８）に切替える方法であって、
前記ホイール（８）は、車軸（５）を回転可能に受けるハブ（９）を有し、
前記車軸（５）は、フォーク（１）の複数のフォーク・ブレード（３、４）間に取付可能である、方法において、
前記非駆動ホイール（８）は、フォーク（１）から取外され、
各々がベアリング（３５、３６）を具備する２つのサポート（１３、１４）は、各々、前記フォーク（１）のフォーク・ブレード（３、４）に取り付けられ、
少なくとも１つのシャフト（３７、５３、５４）は、共に回転するように前記ホイール（８）に接続され、
前記ホイール（８）に連結された前記少なくとも１つのシャフト（３７、５３、５４）は、前記サポート（１３、１４）の前記ベアリング（３５、３６）間に配置され、
前記少なくとも１つのシャフト（３７、５３、５４）は、駆動装置（Ａ）に連結されることを特徴とする方法。
【請求項２１】
前記車軸（５）は、前記非駆動ホイール（８）の前記ハブ（９）から取外され、前記シャフト（３７）と前記ホイール（８）とを接続するために、前記ハブ（９）の内径よりわずかに大きい外径を持つ前記シャフト（３７）が前記ハブ（９）に押し込まれることを特徴とする請求項２０に記載の方法。
【請求項２２】
前記車軸（５）は、前記非駆動ホイール（８）の前記ハブ（９）から取外され、少なくとも１つのシャフト（３７、５３、５４）に連結された２つのロケーティング・ディスク（４１、４２）は、前記ホイール（８）の前記ハブ（９）に共に回転するように接続されることを特徴とする、請求項２０に記載の方法。
【発明の詳細な説明】
【技術分野】
【０００１】
本発明は、自転車の非駆動ホイール（駆動装置によって駆動されないホイール）を被駆動ホイール（駆動装置によって駆動されるホイール）にコンバートする（切替える）ためのキットに関する。そのホイールは、フォークのフォーク・ブレード間に取付け可能な、車軸を回転可能に受けるハブを具備する。さらに、本発明は、少なくとも１つの非駆動ホイールと少なくとも１つの駆動装置を具備する、自転車に関する。さらに、本発明は、自転車の非駆動ホイールを駆動装置によって駆動されるホイールに切替える方法に関する。そのホイールは、複数のフォークのフォーク・ブレード間に取付け可能な車軸を回転可能に受けるハブを具備する。本発明は、好適には、電気駆動装置を使用して、自転車（の走行モードを）切替えるためのキットに、主に、関する。一般に、自転車が１個のホイール、２個、３個、または、それ以上多数個のホイールを有するか否かは重要ではない。本発明によるキットによって、ペダル駆動の乗り物に原動力を追加することができる。
【背景技術】
【０００２】
モータ自転車（原動機付き自転車、電動補助自転車、電動アシスト自転車ともいう）が知られている。その代替として、ガソリンエンジンによって駆動されるローラーが、摩擦を利用して前輪を回転させるものがある。しかしながら、作動中に、エンジンのクラッチを噛み合わせたり外したりすることは比較的複雑であるという課題がある。
【０００３】
特許文献１には、プラネタリー・ホイール・ギヤによって、後輪のハブに電動機を接続できる、補助電気駆動装置を持つ自転車が記載されている。この後輪のハブは、比較的複雑な方法で設計製造される必要があるので、自転車をコンバートするために使用できない。
【０００４】
さらに、特許文献２には、電動モータが特殊なギヤによってリア・ホイールのリア・ハブに接続された、電動自転車について記載されている。しかしながら、こちらもまた、比較的複雑な方法で設計製造されているため、リア・ホイールに影響を与えてしまうので、自転車をコンバートするのに使用されるのは難しい。
【０００５】
さらに、通常、自転車用補助駆動装置は、比較的スペースをとる重いものであるため、モーター・アシストなしで自転車を扱う際には、不利になる。
【先行技術文献】
【特許文献】
【０００６】
【特許文献１】独国特許出願公開１０１２７７６９Ａ１
【特許文献２】独国実用新案出願公開９４１６０５８Ｕ１
【発明の概要】
【発明が解決しようとする課題】
【０００７】
したがって、本発明の目的は、上述のような、素早く簡単に取り付けることが可能な駆動装置によって、自転車の非駆動ホイールを切替えるためのキットを提供することである。キットを、できるだけ単純な構造を有する、少ない数の部材から構成することにより、費用対効果に優れた、できるだけ軽量のキットとすることができる。
【０００８】
本発明の別の目的は、素早く簡単に駆動装置を装着できる、自転車を提供することである。さらに、素早く簡単に自転車を元の構造に回復できるようにすることである。
【０００９】
本発明の更なる別の目的は、駆動装置によって、自転車の非駆動ホイールを駆動ホイールに素早く簡単に切替える、方法を提供することである。
【課題を解決するための手段】
【００１０】
第１の目的は、上述したキットによって達成できる。キットは、それぞれのフォーク・ブレードに接続する部材を備えたフォーク・ブレードの外側の面に取り付け可能で、かつ、駆動される被駆動ホイールと共に回転する接続可能な少なくとも１本のシャフトを回転可能に受けるためのベアリングを備えた、２つのサポートを具備し、さらに、少なくとも１本のシャフトを駆動装置に連結手段とを具備する。キットは、素早く切替えることができ、かつ、費用対効果に優れた態様で、駆動装置を使用することによって自転車の非駆動ホイールを切替えることができる、簡単な構造を有する、数個の部材しか備えていない。キットは、駆動される被駆動のホイールと共に回転する接続される少なくとも１本のシャフト、及びフォークのいずれかの側面に配置されたサポート内に配置され、かつ、その少なくとも１本のシャフトを受ける、２つのベアリングからなる。さらに、したがって、駆動装置は、それらのベアリング内に回転可能に配置された、少なくとも１本のシャフトに接続される。駆動装置として、電動モータ、又は内燃機関エンジンを使用することができる。切り替えキット（コンバージョン・キット）は、低コストで製造することができ、非常に軽量である。アプリケーション（用途等）に応じた、必要な動力の大きさとサイズを考慮して、駆動装置を選択することができる。
【００１１】
好適には、各サポートは、フォーク・ブレードとこれに着脱可能に連結できるシャフト・サポートとに接続可能なフォーク・サポートからなる。サポートが、２つの部材から構成されていることにより、特に、少なくとも１本のシャフトをシャフト・サポート内に配置されたベアリング内に配置するとき、取付けが容易になる。
【００１２】
好適には、フォーク・サポートとシャフト・サポートは、ねじで連結される。しかしながら、特に、連結する際、ツールの使用を必要としない他の連結技術を使用できる。
【００１３】
また、少なくとも１つのねじ込み式接続として、サポートあるいはフォーク・サポートとフォーク・ブレードとを接続するための部材を製造できる。例えば、サポート、あるいは、フォーク・サポートにボア・ホールを形成して、通常、自転車の車軸を受けるようにされている、自転車のフォークの開口部を通る、ねじをボア・ホールに通すことができる。
【００１４】
さらに、サポート、あるいは、フォーク・サポートとフォーク・ブレードとを接続するための部材は、ナットと着脱可能に結合されるためのねじを切られた端部を持つ、Ｕ字型のフォーク・クランプという形態にできる。その穴を通してフォーク・ブレードを取り囲むフォーク・クランプをナットで締付けることができる、細長い穴をサポートかフォーク・サポートに設けることができる。このような締付けの技術によって、その後に、サポートを動かして回転軸をわずかに調整することができる。このようなことは、既存のブレーキか泥除けに対して調整するのに必要である。
【００１５】
好適には、少なくとも１本のシャフトを回転可能に支えるためのベアリングは、サポート、あるいは、シャフト・サポートに固定されている、ボール・ベアリングが望ましい。
【００１６】
本発明の別の特徴によると、駆動装置を着脱可能に取付けるための部材は、サポートに設けられる。駆動装置は、固定部材によって固定されるので、望まない脱落から保護される。
【００１７】
電動駆動装置が使用される場合、バッテリを着脱可能に取付ける部材を具備することができる。駆動装置を被駆動ホイールの１つの側面に配置し、バッテリをその反対側に配置するのが効果的である。
【００１８】
駆動装置、あるいは、バッテリを簡便に取付けたり取外したりするために、取付部材は、蝶形ボルト、あるいは、これに類する物であることができる。このようにすることにより、駆動装置、あるいは、バッテリを、道具を使わないで、簡単に取外すことができる。自転車を公の場所に駐車するとき、駆動装置とバッテリを取り外して、持ち運ぶことができます。したがって、これらの部材を盗まれないようにすることができます。
【００１９】
本発明の実施態様によれば、第一のサポートのベアリングと第二のサポートのベアリングとの間に連続シャフトが具えられている。この場合、このシャフトは、非駆動ホイールのハブに元々配置されていた車軸と置き換えられる。
【００２０】
シャフトとホイールとは、共に回転するように連結されることができる。このとき、シャフトは、多角形、特に、正方形の断面を中央部に持ち、シャフトの中央部での外側の直径は、駆動ホイールのハブの内径よりわずかに大きい。また、連結は、シャフトとホイールとの間で共に回転するようにされた、締まり嵌めである。
この場合、必要なら、車軸とボール・ベアリングは、ホイールのハブから取外され、多角形、特に、正方形の断面を中央部に持つシャフトは、ハブに押し込まれる。このようにして、シャフトは、共に回転するように、ハブ、結果として、ホイールに連結される。これにより、自転車の非駆動ホイールを駆動ホイールに簡便に効率的に切替えることができるようになる。  
【００２１】
多角形、特に、正方形の断面に対応するシャフト用の座を備えた２つのロケーティング・ディスクを設けることによって、シャフトとホイールとの共に回転するようにされた連結を改良することができる。ここで、ロケーティング・ディスクは、ハブと共に回転するように連結するために、ハブに面するその側面に歯あるいはこれに類する物を有する。歯は、ハブの前面を部分的に貫通してロケーティング・ディスクがハブに対して回転するのを防止している。
【００２２】
別の実施態様によると、２つのシャフトとこれらに連結できる２つのロケーティング・ディスクを備えることができ、ロケーティング・ディスクは、ホイールに面するその側面に、ホイールと共に回転するように連結する部材を具備している。この実施態様では、駆動装置の回転運動は、共に回転するように連結する部材と共にシャフトとロケーティング・ディスクを介してホイールに伝達される。
【００２３】
例えば、シャフトをホイールに共に回転するように連結する、これらの部材は、配置可能な複数のホイールのスポーク間に配置される、複数の部材、特に、複数のロッドからなっている。
【００２４】
駆動装置を少なくとも１本のシャフトと接続するための手段は、駆動フランジであることができる。ドライビング・フランジによって、シャフトと駆動装置を接続する。ドライビング・フランジは、駆動装置とシャフトのタイプ応じて、異なった設計製造をすることができる。通常、駆動装置とシャフトとの間にギヤボックスを持つ必要はなく、こうすることで、かなりのコスト低減と切替えキットの軽量化を実現できる。
【００２５】
本発明の第二の目的は、少なくとも１個の非駆動ホイールが上記のキットの駆動装置で駆動される、自転車によって達成される。
【００２６】
好適には、自転車のフロント・ホイールに駆動装置は連結される。このように、自転車用の付属の駆動装置は、特に簡単な方法で実現できる。
【００２７】
好適には、駆動装置は電動モータからなる。電動モータの回転スピードは、電源の供給電圧を変えることで簡単に変更することができる。
【００２８】
さらに、燃料供給装置を持つ内燃機関エンジンを使用することも可能である。
【００２９】
本発明の第３の目的は、フォークから非駆動ホイールを取外す工程、それぞれ１つのベアリングを持つ２つのサポートをフォークのフォーク・ブレードに固定する工程、少なくとも１本のシャフトをホイールに共に回転できるように接続する工程、それらサポートのベアリング間にホイールに連結された少なくとも１本のシャフトを配置する工程、及び、その少なくとも１本のシャフトを駆動装置に接続する工程を含む、上記の方法によって達成される。この自転車の非駆動ホイールを切替える方法は、簡単迅速に実行できる。上記の方法を逆に実行することによって、簡単に、自転車を元の状態に復元することができる。
【００３０】
本発明の別の実施態様によれば、非駆動ホイールのハブは、車軸から取外され、シャフトをホイ−ルに共に回転するように接続するために、ハブの内径よりわずかに大きい外径を持つシャフトは、ハブに押し込まれる。
【００３１】
代替的に、車軸は、非駆動ホイールのハブから取外されて、少なくとも１本のシャフトに連結された２つのロケーティング・ディスクは、非駆動ホイールのハブに共に回転するように接続されることができる。
【図面の簡単な説明】
【００３２】
本発明は、以下の添付図面を参照して更に詳細に説明される。
【図１】自転車のフロント・ホイールの概略正面図である。
【図２】本発明の１つの実施態様による、切替えキットの分解図である。
【図３】切替え中の自転車のフロント・ホイールを示す図である。
【図４】切替え中の自転車のフロント・ホイールを示す図である。
【図５】切替え中の自転車のフロント・ホイールを示す図である。
【図６】切替え中の自転車のフロント・ホイールを示す図である。
【図７】少なくとも１本のシャフトと被駆動ホイールのハブとを共に回転するように接続する、１つの実施形態示す図である。
【図８】少なくとも１本のシャフトと被駆動ホイールのハブとを共に回転するように接続する、他の実施形態示す図である。
【図９】駆動装置を備えた自転車の実施形態の正面図である。
【図１０】図９の自転車の側面図である。
【図１１】別の駆動装置を備えた自転車の実施形態の正面図である。
【図１２】図１１の自転車の側面図である。
【図１３】他の駆動装置を備えた自転車の実施形態の正面図である。
【図１４】図１３の自転車の側面図である。
【発明を実施するための形態】
【００３３】
図１は、自転車のフロント・ホイールの模式的な正面図である。自転車のフォーク１は、フォーク・ヘッド２と、車軸ナット６、７によって、その先端部にホイール８（通常、フロント・ホイール）の車軸５が取り付けられる、２つのフォーク・ブレード３、４からなっている。車軸５は、対応するボールベアリング（図示しない）によって、ハブ９内で回転可能に支持されている。スポーク１０、リム１１、及び最終的にタイヤ１２が、順次、ハブ９に取付けられる。この非駆動ホイール８（通常、フロント・ホイール）は、自転車から素早く簡単に取外すことができ、このようなものは、駆動装置Ａによって駆動されるホイール８に切替えるのには、特に、適している。
【００３４】
図２は、本発明による切替えキットの１つの実施形態を、部材が分解された状態で示している。２つのサポート１３、１４からなる、切替えキットは、この実施形態では、サポート１３、１４は、それぞれフォーク・サポート１５、１６と、それらに取外し可能に接続可能なシャフト・サポート１７、１８を具備している。フォーク・サポート１５、１６とシャフト・サポート１７、１８の接続は、好適には、ねじ（図示せず）によって実現され、ねじは、スルー・ボア１９、２０（穿孔１９、２０）を通して挿入される。
【００３５】
フォーク・サポート１５、１６は、適切な結合部材によって、自転車のフォーク１のフォーク・ブレード３、４に接続される。図示された実施形態では、ねじ２１、２２と対応するナット２３、２４によって、フォーク・サポート１５、１６は、フォーク・ブレード３、４に固定されている。したがって、フォーク・サポート１５、１６のそれぞれの開口部２５、２６を通して、通常、ホイール８の車軸５に備えられたフォーク・ブレード３、４の端の溝に、ねじ２１、２２が案内される。対応する連結は、ナット２３、２４によってなされる。さらに、接続部材、例えば、Ｕ字型のフォーク・クランプ２７、２８を備えることができる。フォーク・クランプ２７、２８は、取外し可能に対応するナット３１、３２に連結できる、ねじ切りされた端部２９、３０を備える。フォーク・クランプ２７、２８は、フォーク・ブレード３、４を取囲み、フォーク・サポート１５、１６の内に対応して配置された細長い穴３３、３４を通して置かれて、ナット３１、３２によって固定される。フォーク・サポート１５、１６の細長い穴３３、３４によって、フォーク・サポートは、穿孔２５、２６内のねじ２１、２２の周りをピボット回転することで、自転車のフォーク１に対してフォーク・サポート１５、１６を調整することができる。
【００３６】
サポート１３、１４は、それぞれ、少なくとも１本のシャフト３７を回転可能に支持するために、ベアリング３５、３６を具備する。サポート１３、１４がそれぞれ２つの部材からなる場合には、図示されているように、ベアリング３５、３６は、シャフト・サポート１７、１８内にそれぞれ配置される。好適には、ベアリング３５、３６は、自転車に通常使用されるようなボール・ベアリングが望ましい。
【００３７】
図示された例では、ただ１本のシャフト３７が備えられている。組み立てられた後、第一のサポート１３、あるいは、シャフト・サポート１７のベアリング３５から、第二のサポート１４、あるいは、シャフト・サポート１８のベアリング３６へ伸びる。シャフト３７は、その中央部３８に、自転車のホイール８に回転運動を伝達する、多角形、特に、正方形の断面を持つ。シャフト３７は、対応する駆動フランジ４０によって駆動装置Ａ（図示せず）を接続するための、ノッチ３９あるいはその類似物を有する、１つの端部を備えている。
【００３８】
さらに、ロケーティング・ディスク４１、４２が備えられている。ロケーティング・ディスク４１、４２の各々は、センター部３８の、多角形の、特に、正方形の断面に対応する、シャフト３７用の座４３、４４を有する。ロケーティング・ディスク４１、４２は、その側面に、ハブ９と共に回転するようにされた、駆動されるホイール8のハブ８に面する、歯４５、４６あるいはこれに類する物を有している。部材、特に、ロッド５１、５２は、ロケーティング・ディスク４１、４２に配置されることができ、組立てられたとき、ホイール8のスポーク１０の中へと伸びる。
【００３９】
本発明による切替キットは、非常に少ない数個の部材からなっており、素早く簡単に組み立てることができる。好適には、数少ないこれらの部材は、金属、特に、軽金属からなることが望ましく、このようにすると、軽量であると同時に、非常に安定したものとなる。切替キットは、異なる駆動装置Ａ（図示せず）で実装することができる。駆動装置Ａを取付けるために、対応する座４７と固定部材、例えば、蝶形ボルト、あるいは、これに類する物をサポート１４、あるいは、シャフト・サポート１８に備える。このように、駆動装置Ａは、座４７に挿入されて固定部材４８で固定される。したがって、駆動装置Ａは、簡単に取外すことができ、例えば、パーキングに駐車したとき、盗まれたり、破壊されたりすることを防止できる。電動駆動装置Ａの場合、必要なバッテリＢ（図示しない）は、座４９と対応する固定部材５０によって、もう１つのサポート１３、あるいは、シャフト・サポート１７に取付けることができる。
【００４０】
アプリケーションに応じて、切替えキットは、サイズとパワーが異る様々な駆動装置Ａを具備することができる。
【００４１】
図３から図６は、自転車の非駆動ホイール８を駆動装置Ａによって駆動されるホイール８に切替える途中の異なる段階を示している。図３によれば、ホイール８は、車軸ナット６、７を緩めることによって、取外される。わかりやすくするために、対応するスポーク１０、リム１１、タイヤ１２を省略して、車軸５に回転可能に座しているハブ９のみが示されている。後で、車軸５は、その中にあるボールベアリング（図示せず）と共にハブ９から取外される。
【００４２】
図４によれば、２つのフォーク・サポート１５、１６は、ねじ２１、２２とこれらに対応するナット２３、２４によって、フォーク・ブレード３、４に取付けられている。さらに、固定手段として、フォーク・クランプ２７、２８を使用することができる。
【００４３】
図５で図式的に見ることができるように、シャフト・サポート１３、１４とそれらの内に位置するベアリング３５、３６は、シャフト・サポート１４とフォーク・サポート１６の開口２０を通して挿入された、対応するねじによって締付けられる。シャフト３７は、共に回転するようにハブ９に接続されるように、ハブ９に押し込まれる。ロケーティング・ディスク４１、４２は、シャフト３７の端部の周囲を取り囲むように配置され、後に、シャフト３７の両端部は、シャフト・サポート１３、１４のベアリング３５、３６を貫通するように配置される。
【００４４】
図６に、駆動装置Ａ（図示しない）を受ける右シャフト・サポート１８上の座４７を備えた、完全に切替えられた自転車の側面図が示されている。
【００４５】
図７と８は、少なくとも１本のシャフト３７をハブ９に共に回転するように接続する２つの異なる実施態様を示している。図７によると、ハブ９を貫通して伸びる、連続シャフト３７が備えられている。ロケーティング・ディスク４１、４２は、シャフト３７の外側面に配置されている。このように、シャフト３７とハブ９が共に回転する接続、つまりは、ホイール８（図示せず）が完成する。
【００４６】
図８示された別の実施態様は、ロケーティング・ディスク４１、４２に連結された、あるいは、ロケーティング・ディスク４１、４２に一体的に製造された、２つのパーツ５３、５４を備えている。ロケーティング・ディスク４１、４２は、それぞれ対応するスリーブ５５とホイール８のスポーク１０を通して挿入されたねじ５６を備え、後に、連結される。このように、シャフト５３、５４もまた、ホイール８に共に回転するように接続される。駆動装置Ａが少なくとも１本のシャフト３７、５３、あるいは、５４と連結される場合、駆動装置Ａの回転運動は、シャフト３７、５３、５４と、そして、ハブ９とホイール８へ伝達されることができる。
【００４７】
図９から図１４は、それぞれ、本発明によるキットを装備した自転車用の異なるタイプの駆動装置を示す、正面図と側面図である。
【００４８】
図９と図１０によれば、駆動装置は、サポート１４に取外し可能に取付けられた電動モータＡからなっている。ホイール８の左側には、電動モータＡに電力を供給するサポート１３にバッテリＢが取付けられている。接続ケーブルは、図示されていない。駆動装置ＡとバッテリＢとは、固定部材４８と５０によって固定されることができる。
【００４９】
図１１、１２は、別の電動駆動装置Ａとわずかにより強力なバッテリＢとが取り付けられた、別の実施態様を示している。
【００５０】
最後に、図１３、１４は、内燃機関エンジン式の駆動装置Ａの１つの実施態様を示している。燃料タンクは、内燃機関エンジンに、直接、あるいは、内燃機関エンジンの反対側に取り付けることができる。
【図１】
2010516526.tif 000003
【図２】
2010516526.tif 000004
【図３】
2010516526.tif 000005
【図４】
2010516526.tif 000006
【図５】
2010516526.tif 000007
【図６】
2010516526.tif 000008
【図７】
2010516526.tif 000009
【図８】
2010516526.tif 000010
【図９】
2010516526.tif 000011
【図１０】
2010516526.tif 000012
【図１１】
2010516526.tif 000013
【図１２】
2010516526.tif 000014
【図１３】
2010516526.tif 000015
【図１４】
2010516526.tif 000016
【国際調査報告】
2010516526.tif 000017
2010516526.tif 000018
2010516526.tif 000019
2010516526.tif 000020